(57)【要約】      （修正有）【課題】水や電気を使用せずに複数回使用でき、清掃が容易なオガ簡易トイレを提供する。【解決手段】底辺を平らな円形とした便槽バケツの内側に金属棒をコの字型に曲げ、その中央に主軸を設けた攪拌羽棒を入れ、攪拌羽根棒は便槽バケツの底辺に据え付けるようにし、便槽バケツの底から攪拌羽棒主軸を出し、ジョイント雌を接続する、ジョイント雌とジョイント雄をはめ込み式で取外し可能とし、ジョイント雄の下に傘歯車を配し、もう一方の下傘歯車に軸を介してユニバーサルジョイントとハンドルを接続し、これら一体の装置を椅子型筐体にいれる。【選択図】図１
0003170798.tif 000002
【実用新案登録請求の範囲】
【請求項１】
底辺を平らな円形とした便槽バケツの内側に金属棒をコの字型に曲げ、その中央に主軸を設けた攪拌羽棒を入れ、攪拌羽根棒は便槽バケツの底辺に据え付けるようにし、便槽バケツの底から攪拌羽棒主軸を出し、ジョイント雌を接続する、ジョイント雌とジョイント雄をはめ込み式で取外し可能とし、ジョイント雄の下に傘歯車を配し、もう一方の下傘歯車に軸を介してユニバーサルジョイントとハンドルを接続し、これら一体の装置を椅子型筐体にいれる事を特徴としたオガ簡易トイレ。
【考案の詳細な説明】
【技術分野】
【０００１】
本考案は、簡易式オガトイレ、室内介護用及び非常時利用として利便性があるトイレに関するものである。
【背景技術】
【０００２】
簡易トイレには、簡易水洗式、糞尿貯め置き式、オガ屑式などがある。オガ屑式のトイレの場合、人糞尿とオガ屑を攪拌させ、糞尿の中にあるバクテリアにより分解させ臭いや固形物を分解する事は周知の事実とてしられている。（例えば、特許文献１参照。）
【０００３】
簡易トイレでは、人糞を排泄して後の処理で水洗式や貯め置き式の場合、人糞尿を水洗トイレ等に流し、その後、糞尿バケツの清掃をしなければならず、それは人の一番嫌な作業である事は真実である。
【０００４】
室内簡易トイレの場合、非常時などで電気や水道などが使えない場合は、排泄人糞尿等をトイレに流す事もできなくなる。また、従来型オガ屑処理方式の簡易トイレは、モーター等によってオガ屑と糞尿を細かく攪拌してしまい、容積の小さな簡易トイレでは、返って臭気が発生してしまう事もある。
【先行技術文献】
【特許文献】
【０００５】
【特許文献１】特公平２−４８３２０号公報
【考案の概要】
【考案が解決しようとする課題】
【０００６】
従来の簡易トイレの場合、人糞尿を排泄した場合、その後処理時に於いて他人の糞尿を目視しながら清掃するのは大変嫌な仕事であり、糞尿を見えなくして後処理をするのが理想的である。また、排泄物の臭いの問題も存在している。
【０００７】
水、電気を使用せずに排泄人が複数回使用できる便槽が望ましく、また、オガ屑と糞尿を攪拌する場合、攪拌する事により糞内の繊維物質が攪拌装置の攪拌棒に絡みつき、その清掃が大変困難であった。
【０００８】
この考案は、以上のような問題点を解決しようとするものである。
【課題を解決するための手段】
【０００９】
図１において、便槽バケツ(3)の内側に攪拌用金属棒をコの字型に曲げ、その中央に主軸(2)を接続した攪拌羽棒(1)を入れ、便槽バケツ(3)の底に貫通孔を開け、そこにメカニカルシール(5)をはめ込み、下からゴムパッキン(6)と下留め座金(7)を合わせネジ(8)で複数箇所固定し、そのメカニカルシール(5)の中央穴に攪拌羽棒(1)の主軸(2)を差込、下よりジョイント雌(10)と主軸(2)の端を留めピン(11)で接続する。
ジョイント雄(12)の下に傘歯車(13)を配し、その先にユニバーサルジョイント(14)を接続し、ユニバーサルジョイント(14)の片方からハンドル(15)を接続する。このハンドル(15)を回すと、傘歯車(13)が回転して、便槽バケツ(3)内の攪拌羽棒(1)が回転する構造とする。
【００１０】
図２において、攪拌羽棒(1)の主軸(2)の先端には、ジョイント雌(10)と接続するための留めピン穴があり、留めピン(11)で主軸(2)とジョイント雌(10)を接続し、留めピン(11)が抜けないように留めピン固定溝(32)にゴムリング(31)をかぶせ固定する。
【００１１】
図３に示す様に、フレーム(22)の上に便槽カバー(23)を配置し、便槽バケツ(3)が出し入れできる様に便槽固定具(24)で受け止め、便槽カバー(23)と便槽バケツ(3)の上に便座(19)を置き、人体が腰掛けて排便できる構造とする。便槽バケツ(3)には便槽バケツの取っ手(18)があり、便座(19)を上に開き便槽バケツ(3)を取り出せる事ができる。フレーム(22)の下には移動車(20)と脚(25)を設け、後方面端には手押しバー(21)を取り付け、移動する場合は手押しバー(21)でフレーム(22)を少し傾け脚(25)を浮かせ、移動車(20)のみ接地させ動かす事ができるものとする。
【００１２】
図4において、便槽バケツ(3)内にオガ屑を入れておき、便座(19)に人体が腰掛けて排便できる構造とする。
【考案の効果】
【００１３】
図6に示すように、従来のオガ屑と糞尿を攪拌する方式の場合、従来の攪拌羽棒(16)では便槽バケツ(3)内に入れたオガ屑と人糞尿を攪拌し、そのオガ屑を捨てる段階で便槽バケツ(3)を逆さにした場合、従来の攪拌羽棒(16)の場合は、攪拌羽根の位置が便槽バケツ(3)の底位置より浮いた形で使用されているため、攪拌羽棒軸に人糞の繊維質が絡みつき、それは容易には取れず、それを清掃するのが大変な作業であった。
【００１４】
本案は、図１の様に、攪拌羽棒(1)が便槽バケツ(3)の底辺で回転してオガ屑(26)を攪拌する様に配置している。その上、水も電気も使用しないので、大変経済的であり非常時にも効果を発揮できる。使用済みオガ屑を捨てようとした場合でも、攪拌羽棒(1)が便槽バケツ(3)の底辺に設置している為、容易に廃棄できる。
【００１５】
本案の場合、人糞とオガ屑とを攪拌羽棒(1)により細かく攪拌するのが目的ではなく、攪拌羽棒(1)を1,2回転する事により、完全に攪拌する必要は無く人糞(28)の表面にオガ屑(26)がくっつき、オガ屑のダンゴ状のかたまりが出来れば、清掃作業時に人糞を目視しなくてすむ。また、オガ屑と混ざった糞尿は、有機質肥料として使え家庭菜園等に再利用でき、その上、オガ屑が糞尿の臭いを吸収するため、清掃作業が容易にできる。
【００１６】
図5に示す様に、排泄をした後にオガ屑内の攪拌羽棒(1)をハンドル(15)で数回回転させ、糞にオガ屑をまぶし、そのオガ屑を捨てる場合、便座(19)を開け、便槽バケツの取っ手(18)を手で持ち便槽バケツ(3)を取り出し、ごみ袋などに捨てる。この時、攪拌羽棒(1)が便槽バケツ(3)の底辺に配置して有るので糞オガ屑が攪拌羽棒(1)に絡みつかず、簡単に剥離して捨てられる。
【図面の簡単な説明】
【００１７】
【図１】本考案の便槽容器部を示した図
【図２】本考案の簡易トイレの攪拌羽棒のみを書き出した図
【図３】本考案の簡易トイレ断面図
【図４】本考案の簡易トイレの使用例を示した図
【図５】本考案の簡易トイレ内のオガ屑を廃棄している使用図
【図６】従来の攪拌装置を示した参考図
【図７】本考案の簡易トイレの外観を示した図
【図８】本考案の簡易トイレのオガ屑をこねている様子を示した図
【考案を実施するための形態】
【００１８】
以下、本発明のオガ簡易トイレの好適な実施形態について、図面を参照して詳細に説明する。
【００１９】
図１において、便槽バケツ(3)の内側に攪拌用金属棒をコの字型に曲げ、その中央に主軸(2)を接続した攪拌羽棒(1)を入れ、攪拌羽棒(1)のコの字型に曲げた先端部(1a)は、便槽バケツ(3)の壁面に沿うように伸ばした物とし、便槽バケツ(3)の底に貫通孔を開け、そこにメカニカルシール(5)をはめ込み、下からゴムパッキン(6)と下留め座金(7)を合わせネジ(8)で複数箇所固定し、そのメカニカルシール(5)の中央穴に攪拌羽棒(1)の主軸(2)を差込、下よりジョイント雌(10)と主軸(2)の留めピン穴(4)を留めピン(11)差込して接続する。
さらに、ジョイント雄(12)の下に傘歯車(13)を配し、その先にユニバーサルジョイント(14)を接続し、ユニバーサルジョイント(14)の片方からハンドル(15)を接続する。このハンドル(15)を回すと、傘歯車(13)が回転して、便槽バケツ(3)内の攪拌羽棒(1)が回転する構造とする。
【００２０】
図３に示す様に、フレーム(22)の上に便槽カバー(23)を配置し、便槽バケツ(3)が出し入れできる様に便槽固定具(24)で受け止め、便槽カバー(23)と便槽バケツ(3)の上に便座(19)を蝶番(27)で便槽カバー(23)に取り付け、人体が腰掛けて排便できる構造とする。便槽バケツ(3)には便槽バケツの取っ手(18)があり、便座(19)を上に開き便槽バケツ(3)を取り出せる事ができる。フレーム(22)の下には移動車(20)と脚(25)を設け、後方面端には手押しバー(21)を取り付け、移動する場合は手押しバー(21)でフレーム(22)を少し傾け脚(25)を浮かせ、移動車(20)のみ接地させ動かす事ができるものとする。
【００２１】
図２においては、攪拌用金属棒部分を詳細に示したものであり、攪拌用金属棒をコの字型に曲げ、攪拌羽棒(1)のコの字型に曲げた先端部(1a)は、便槽バケツ(3)の壁面に沿うように伸ばした物とし、その中央から出ている主軸(2)の先端には、留めピン穴(4)が有り、「００１９」で説明した便槽バケツ(3)底のメカニカルシール(5)の穴から出た、主軸(2)に平ワッシャー(30)を貫通しジョイント雌(10)を接続する。ジョイント雌(10)の留めピン穴と主軸(2)先端の留めピン穴(4)を合わせ留めピン(11)を差込して接続し、ゴムリングを留めピン固定溝(32)にはめ込み留めピン(11)が抜けるのを押さえる構造とする。
【実施例】
【００２２】
以下添付図面に従って説明する。
図4において、便槽バケツ(3)内にオガ屑を入れ、利用者に便座(19)に腰掛、排便をしてもらう。排便が完了したら、ハンドル(15)を数回し、攪拌羽棒(1)を回転させ、人糞にオガ屑をまぶし、見た目に人糞と見分けがつかない様にする。
【００２３】
図5においては、便座(19)を開け便槽バケツ(3)の便槽バケツの取っ手(18)を持ち上げて便槽バケツ(3)を取り出します。その便槽バケツ(3)を傾け使用済みオガ屑をゴミ袋等に破棄して処分する。
本考案は、電気、水道等を使用しないため、高層ビル等においてもインフラが全て遮断しても、人間に取って大切な排便行為に使用でき、また、オガ屑に悪臭吸着剤を混ぜる事もでき、密室等に設置しても快適に生活でき、非常時においてのトイレを問題解決できる。
便槽バケツ(3)にオガ屑を5から6リットル入れた場合、４から5人家族程度が一日使用しても処理可能であるから、オカ屑をビニール袋などに小分けし、１０袋(5から6リットル入り)程度備えれば非常時にも対応できる。
【００２４】
図6においては、従来の攪拌装置の従来の攪拌羽棒(16)構造を示した参考図である。
従来の攪拌羽棒(16)は、便槽より少し上に浮いた位置に攪拌棒が配置しているため、糞内の繊維質が攪拌棒に絡みつき、清掃に困難をきたす場合が多かった。
【００２５】
図7においては、完成外観図の後方より見た図であり、フレーム(22)の後方に手押しバー(21)を付け、下に移動車(20)と脚(25)を付ける。移動する時は、手押しバー(21)でフレーム(22)の前方を持ち上げる様にして、脚(25)を浮かせれば、移動車(20)で移動が容易にできる。
【００２６】
図8においては、攪拌羽棒(1)の曲げた先端部(1a)が便槽バケツ(3)の内側壁面をこする様にして回ると、オガ屑(26)は周りから中心に向かって流れ込む様に流入する。それにより人糞(28)の周りにオガ屑(26)が牡丹餅(ボタモチ)の様に絡みつき人糞(28)を包み沈んで行き、その結果、臭気の軽減ができ、尚且つ見た目にも生糞と判らず清掃作業が容易にできる。
軟便の場合は、糞の周りにオガ屑が牡丹餅(ボタモチ)の様に絡みつきダンゴ状にならないので、むしろハンドル(15)を多く回し攪拌した方が事後処理に適している、いずれにしても本考案装置を利用する事により生糞をオガ屑で目視できなくする事が目的であるからして、他人の排泄物を清掃する場合においても有効的である。
【符号の説明】
【００２７】
１  攪拌羽棒
１a  曲げた先端部
２  主軸
３  便槽バケツ
４  留めピン穴
５  メカニカルシール
６  ゴムパッキン
７  下留め座金
８  ネジ
９  ナット
１０  ジョイント雌
１１  留めピン
１２  ジョイント雄
１３  傘歯車
１４  ユニバーサルジョイント
１５  ハンドル
１６  従来の攪拌羽棒
１７  攪拌用モーター
１８  取っ手
１９  便座
２０  移動車
２１  手押しバー
２２  フレーム
２３  便槽カバー
２４  便槽固定具
２５  脚
２６  オガ屑
２７  蝶番
２８  人糞
２９  人
３０  平ワッシャー
３１  ゴムリング
３２  留めピン固定溝
【図１】
0003170798.tif 000003
【図２】
0003170798.tif 000004
【図３】
0003170798.tif 000005
【図４】
0003170798.tif 000006
【図５】
0003170798.tif 000007
【図６】
0003170798.tif 000008
【図７】
0003170798.tif 000009
【図８】
0003170798.tif 000010